(57)【要約】【課題】ジャンパー線の接続部を容易に保護することが可能な防護カバーを提供することを課題とする。【解決手段】略長方形の外形を有し、且つ長手方向に対して略直交する折り目７を介して折り返した状態で接続部１５を覆うことが可能な大きさを有する絶縁シート２と、接続部１５を覆った状態の絶縁シート２をジャンパー線１４に縛り付ける面ファスナーテープであって、何れか一方の面に面ファスナー機構の係止機能面１０と、他方の面に面ファスナー機構の被係止機能面８と、を有する第一の面ファスナーテープ３と、接続部１５を覆った状態の絶縁シート２を接続部１５に縛り付ける面ファスナーテープであって、何れか一方の面に面ファスナー機構の係止機能面１１と、他方の面に面ファスナー機構の被係止機能面９と、を有する第二の面ファスナーテープ４と、を備える。【選択図】図１
2008043087.tif 000002
【特許請求の範囲】
【請求項１】
本線とジャンパー線との接続部を覆う防護カバーであって、
略長方形の外形を有し、且つ長手方向に対して略直交する折り目を介して折り返した状態で前記接続部を覆うことが可能な大きさを有する絶縁シートと、
前記接続部を覆った状態の前記絶縁シートを前記ジャンパー線に縛り付ける面ファスナーテープであって、何れか一方の面に面ファスナー機構の係止機能面と、他方の面に面ファスナー機構の被係止機能面と、を有する第一の面ファスナーテープと、
前記接続部を覆った状態の前記絶縁シートを前記接続部に縛り付ける面ファスナーテープであって、何れか一方の面に面ファスナー機構の係止機能面と、他方の面に面ファスナー機構の被係止機能面と、を有する第二の面ファスナーテープと、を備える、
防護カバー。
【請求項２】
前記第一の面ファスナーテープの一端は、前記長辺の端部付近に繋がれ、
前記第二の面ファスナーテープの一端は、前記絶縁シートの長辺上の何れかの位置であって該絶縁シートを前記折り目を介して折り返した状態において前記第一の面ファスナーテープの一端が接続されている位置よりも該折り目寄りの位置に繋がれている、
請求項１に記載の防護カバー。
【請求項３】
前記第一の面ファスナーテープは、前記第二の面ファスナーテープが接続されている長辺と異なる側の長辺に接続されている、
請求項２に記載の防護カバー。
【請求項４】
前記第一の面ファスナーテープは、前記第二の面ファスナーテープが接続されている側と前記折り目を介して反対側の前記絶縁シートに接続されている、
請求項２又は３に記載の防護カバー。
【請求項５】
前記第一の面ファスナーテープと前記第二の面ファスナーテープは、長手方向に伸縮可能な弾性を有する、
請求項１から４の何れかに記載の防護カバー。
【発明の詳細な説明】
【技術分野】
【０００１】
本発明は、防護カバーに関する。
【背景技術】
【０００２】
配電線に設置されている変圧器や低圧開閉器等が焼損した際は、停電した配電線を復旧させるため、低圧線同士をジャンパー線で接続して仮送電を行っている。ジャンパー線の接続箇所や配電線の接続端子等の充電部を保護するカバーとしては、ゴム磁石を用いて絶縁性シートを係止する防護カバー等が開発されている（例えば、特許文献１〜３。）。
【特許文献１】特開平１０−２８５７３２号公報
【特許文献２】実開平７−９０１１号公報
【特許文献３】実開平３−１０６８２６号公報
【発明の開示】
【発明が解決しようとする課題】
【０００３】
従来技術に係る防護カバーは、規格の形状しかいないため使用可能な箇所が限定され、また、風等により落下する場合がある。
【０００４】
そこで、本発明は、ジャンパー線の接続部を容易に保護することが可能な防護カバーを提供することを課題とする。
【課題を解決するための手段】
【０００５】
本発明は上述の課題を解決するため、絶縁シートに、ジャンパー線に縛り付けるための第一の面ファスナーテープと接続部に縛り付けるための第二の面ファスナーテープとを備えることにした。
【０００６】
詳細には、本線とジャンパー線との接続部を覆う防護カバーであって、略長方形の外形を有し、且つ長手方向に対して略直交する折り目を介して折り返した状態で前記接続部を覆うことが可能な大きさを有する絶縁シートと、前記接続部を覆った状態の前記絶縁シートを前記ジャンパー線に縛り付ける面ファスナーテープであって、何れか一方の面に面ファスナー機構の係止機能面と、他方の面に面ファスナー機構の被係止機能面と、を有する第一の面ファスナーテープと、前記接続部を覆った状態の前記絶縁シートを前記接続部に縛り付ける面ファスナーテープであって、何れか一方の面に面ファスナー機構の係止機能面と、他方の面に面ファスナー機構の被係止機能面と、を有する第二の面ファスナーテープと、を備える。
【０００７】
本発明に係る防護カバーは、本線とジャンパー線との接続部を覆うことを目的としている。一般的に、ジャンパー線は本線の途中に接続されるため、接続部は、例えばＴの字形やＹの字形といった分岐形状をなしていることが多い。そこで、本発明に係る防護カバーは、このような接続部を覆うため略長方形の外形を有する絶縁シートを備える。この絶縁シートは、長手方向に対して略直交する折り目を介して折り返した状態において、接続部を覆うことが可能な大きさを有する。これにより、二つ折りにした絶縁シートで接続部を包むことが可能になる。
【０００８】
ここで、絶縁シートが接続部から外れないようにする必要がある。そこで、本発明に係る防護カバーは、絶縁シートを固定するため２本の面ファスナーテープを備える。
【０００９】
第一の面ファスナーテープは、絶縁シートをジャンパー線に縛り付けるために設けられ
る。第一の面ファスナーテープは、何れか一方の面に面ファスナー機構の係止機能面を有し、他方の面に面ファスナー機構の被係止機能面を有する。係止機能面と被係止機能面とは、互いに着脱可能な関係を有する。第一の面ファスナーテープは、係止機能面と被係止機能面とが表裏となるように配置されている。従って、第一の面ファスナーテープを何らかの物体に巻きつけると、係止機能面と被係止機能面とが互いに接触することになる。係止機能面と被係止機能面は互いに着脱可能な関係を有するため、第一の面ファスナーテープは、何らかの物体に巻きつけられた状態でその状態を保持することが可能になる。このような面ファスナーテープの特性に着目し、接続部を覆った状態の絶縁シートを第一の面ファスナーテープでジャンパー線に巻きつけるようにして縛り付ける。第一の面ファスナーテープを巻きつけるだけで、絶縁シートをジャンパー線に縛り付けることが可能になる。
【００１０】
ここで、第一の面ファスナーテープのみで絶縁シートを固定すると、絶縁シートが接続部に縛り付けられていないため、接続部が露出してしまう。そこで、本発明に係る防護カバーには、絶縁シートを接続部に縛り付けるための第二の面ファスナーテープが設けられる。第二の面ファスナーテープは、上述した第一の面ファスナーテープと同様、何れか一方の面に面ファスナー機構の係止機能面を有し、他方の面に面ファスナー機構の被係止機能面を有する。接続部を覆った状態の絶縁シートを第二の面ファスナーテープで接続部に巻きつけるようにして縛り付ける。第二の面ファスナーテープを巻きつけるだけで、絶縁シートを接続部に縛り付けることが可能になる。
【００１１】
なお、係止機能面とは、面ファスナー機構の係止機能を司る面であり、例えば、微小なフックが無数に配設されたフック面が挙げられる。また、被係止機能面とは、面ファスナー機構の被係止機能を司る面であり、例えば、微小なリングが無数に配設されたリング面が挙げられる。
【００１２】
以上により、本発明に係る防護カバーによれば、ジャンパー線の接続部を容易に保護することが可能になる。
【００１３】
ここで、前記第一の面ファスナーテープの一端は、前記長辺の端部付近に繋がれ、前記第二の面ファスナーテープの一端は、前記絶縁シートの長辺上の何れかの位置であって該絶縁シートを前記折り目を介して折り返した状態において前記第一の面ファスナーテープの一端が接続されている位置よりも該折り目寄りの位置に繋がれているようにしてもよい。
【００１４】
これによれば、第一の面ファスナーテープの一端が絶縁シートの長辺の端部付近に繋がれているため、第一の面ファスナーテープのもう一方の端部を引きながらジャンパー線に巻きつけるだけで絶縁シートをジャンパー線に縛り付けることが可能になる。また、第二の面ファスナーテープの一端も絶縁シートの長辺上に繋がれているため、第二の面ファスナーテープのもう一方の端部を引きながら接続部に巻きつけるだけで絶縁シートをジャンパー線に縛り付けることが可能になる。更に、第二の面ファスナーテープは、絶縁シートが接続部を覆った状態で第一の面ファスナーテープよりも折り目側に配置されている。このため、第一の面ファスナーテープをジャンパー線に巻きつけた際に第二の面ファスナーテープが重ならない。従って、第二の面ファスナーテープを容易に接続部に巻きつける事が可能になる。
【００１５】
ここで、前記第一の面ファスナーテープは、前記第二の面ファスナーテープが接続されている長辺と異なる側の長辺に接続されているようにしてもよい。
【００１６】
これによれば、絶縁シートで接続部を覆う際、第一の面ファスナーテープと第二の面フ
ァスナーテープが絶縁シートを挟んで互いに反対の方向に位置することとなるため、それぞれのテープを別々の手で同時に掴むことが可能になる。
【００１７】
ここで、前記第一の面ファスナーテープは、前記第二の面ファスナーテープが接続されている側と前記折り目を介して反対側の前記絶縁シートに接続されているようにしてもよい。
【００１８】
これによれば、第一の面ファスナーテープと第二の面ファスナーテープをそれぞれ掴みながら絶縁シートの折り目を開くことが可能であるため、接続部を絶縁シートで覆うことが容易になる。
【００１９】
ここで、前記第一の面ファスナーテープと前記第二の面ファスナーテープは、長手方向に伸縮可能な弾性を有するようにしてもよい。
【００２０】
これによれば、第一の面ファスナーテープと第二の面ファスナーテープが伸縮力を発揮するため、絶縁シートをジャンパー線と接続部に密着させた状態で縛り付けることが可能になる。
【発明の効果】
【００２１】
本発明によれば、ジャンパー線の接続部を容易に保護することが可能となる。
【発明を実施するための最良の形態】
【００２２】
以下、本発明を実施するための最良の形態を例示的に説明する。以下に示す実施形態は例示であり、本発明はこれらに限定されない。
【００２３】
＜構成＞
図１は、本発明の一実施形態に係る防護カバー１の上面図である。本実施形態に係る防護カバー１は、絶縁シート２と第一の面ファスナーテープ３と第二の面ファスナーテープ４とを備える。絶縁シート２は、略長方形の外形を有し、長手方向（即ち、長辺５、６。）に対して略直交するように折り目７が中心付近に設けられている。
【００２４】
第一の面ファスナーテープ３は、絶縁シート２の長辺５の端部付近に繋がれている。また、第二の面ファスナーテープ４は、絶縁シート２の長辺５と反対側の長辺６上であって、折り目７を介して第一の面ファスナーテープ３の反対側に繋がれている。なお、第二の面ファスナーテープ４は、折り目７を介して絶縁シート２を折り返した際、第一の面ファスナーテープ３よりも折り目７寄りとなる位置に繋がれている。つまり、第一の面ファスナーテープ３から折り目７までの距離よりも、第二の面ファスナーテープ４から折り目７までの距離の方が短い。また、第一の面ファスナーテープ３の上面側には面ファスナー機構の被係止機能面８が、第二の面ファスナーテープ４の上面側には面ファスナー機構の被係止機能面９がそれぞれ設けられている。この被係止機能面８、９には微小なリングが無数に配設されている。このような無数のリングが配設された面は、一般的に、リング面と呼ばれる。なお、第一の面ファスナーテープ３と第二の面ファスナーテープ４は、それぞれ伸縮性を備える。
【００２５】
図２は、防護カバー１の下面図である。図２において示すように、第一の面ファスナーテープ３と第二の面ファスナーテープ４の先端付近の下面側には、面ファスナー機構の係止機能面１０、１１がそれぞれ設けられている。係止機能面１０、１１には微小なフックが無数に配設されている。このような無数のフックが配設された面は、一般的に、フック面と呼ばれる。
【００２６】
＜使用方法＞
次に、防護カバー１の使用方法を説明する。図３は、電柱１２を示している。本実施形態では、電柱１２の本線１３とジャンパー線１４との接続部１５を防護カバー１で覆うことを前提としているが、本発明はこのような部位のみならず、各種の送配電路に用いてもよい。
【００２７】
図４から７は、防護カバー１を使用する際の各工程をそれぞれ示す。まず、図４において示すように、絶縁シート２を折り目７を介して折り返し、接続部１５を覆う。
【００２８】
次に、図５において示すように、第一の面ファスナーテープ３をジャンパー線１４に巻きつける。第一の面ファスナーテープ３をジャンパー線１４に巻きつける事により、係止機能面１０が被係止機能面８に接触する。係止機能面１０のフックが被係止機能面８のリングに引っ掛かることにより、係止機能面１０と被係止機能面８とが互いに係止状態となる。これにより、絶縁シート２がジャンパー線１４に巻きつけられた状態で固定されることになる。
【００２９】
次に、図６において示すように、第二の面ファスナーテープ４を接続部１５に巻きつける。第二の面ファスナーテープ４は、例えば、たすきがけの要領にて接続部１５に巻きつける。第二の面ファスナーテープ４を接続部１５に巻きつけることにより、係止機能面１１が被係止機能面９に接触する。これにより、図７において示すように、絶縁シート２が接続部１５に巻きつけられた状態で固定されることになる。
【００３０】
＜効果＞
以上により、本実施形態に係る防護カバー１によれば、ジャンパー線１４の接続部を容易に保護することが可能になる。また、構造が複雑でないため、どのような形状の接続部にも用いることが可能であり、更に、低圧線の仮工事等の細かい作業箇所にも適用することが可能である。
【００３１】
なお、本実施形態では、第二の面ファスナーテープ４が第一の面ファスナーテープ３よりも折り目７寄りに繋がれているため、第二の面ファスナーテープ４を容易に接続部１５に巻きつける事が可能であるが、本発明はこれに限られない。即ち、第一の面ファスナーテープ３を巻きつける際、第二の面ファスナーテープ４と重ならないようにすればよい。また、第一の面ファスナーテープ３と第二の面ファスナーテープ４は、同じ長辺（例えば長辺５、又は６。）に取り付けられていてもよい。また、第一の面ファスナーテープ３と第二の面ファスナーテープ４は、折り目７を介さない状態で絶縁シート２に繋がれていてもよい。更に、係止機能面１０、１１がリング面で、被係止機能面８、９がフック面であってもよい。
【図面の簡単な説明】
【００３２】
【図１】実施形態に係る防護カバーの上面図。
【図２】実施形態に係る防護カバーの下面図。
【図３】実施形態に係る防護カバーを取り付ける電柱を示す図。
【図４】実施形態に係る防護カバーの使用方法の一工程を示す図。
【図５】実施形態に係る防護カバーの使用方法の一工程を示す図。
【図６】実施形態に係る防護カバーの使用方法の一工程を示す図。
【図７】実施形態に係る防護カバーの使用方法の一工程を示す図。
【符号の説明】
【００３３】
１・・・・・・・・・・・・・・防護カバー
２・・・・・・・・・・・・・・絶縁シート
３・・・・・・・・・・・・・・第一の面ファスナーテープ
４・・・・・・・・・・・・・・第二の面ファスナーテープ
５、６・・・・・・・・・・・・長辺
７・・・・・・・・・・・・・・折り目
８、９・・・・・・・・・・・・被係止機能面
１０、１１・・・・・・・・・・係止機能面
１２・・・・・・・・・・・・・電柱
１３・・・・・・・・・・・・・本線
１４・・・・・・・・・・・・・ジャンパー線
１５・・・・・・・・・・・・・接続部
【図１】
2008043087.tif 000003
【図２】
2008043087.tif 000004
【図３】
2008043087.tif 000005
【図４】
2008043087.tif 000006
【図５】
2008043087.tif 000007
【図６】
2008043087.tif 000008
【図７】
2008043087.tif 000009